(57)【要約】【課題】従来よりも外径を小さくすることが可能なシャッター用ロック装置の提供を目的とする。【解決手段】本発明のシャッター用ロック装置２０は、シャッターカーテン１５の巻取シャフト１２を貫通した支持シャフト１１と同軸上に配置されて巻取シャフト１２と一体回転可能に連結されるラチェットギヤ２６を備え、そのラチェットギヤ２６の回転をロックすることで、シャッターカーテン１５を任意の開閉位置で保持することが可能なシャッター用ロック装置２０であって、支持シャフト１１が貫通する円板状の中継部材７０を巻取シャフト１２の端部との対向面に配置し、中継部材７０とラチェットギヤ２６とをそれらの内周面に凹凸係合した連結スリーブ２４によって一体回転可能に連結すると共に、巻取シャフト１２の端部から突出した連結爪１４と係合可能な爪係合孔７１を中継部材７０に貫通形成してある。【選択図】図４
2013167086.tif 000002
【特許請求の範囲】
【請求項１】
シャッターカーテンの巻取芯部材を貫通してその巻取芯部材を回転可能に支持した支持シャフトと同軸上に配置されて、前記支持シャフトが貫通した状態で前記巻取芯部材と一体回転可能に連結されるラチェットギヤを備え、そのラチェットギヤの回転をロックすることで、前記シャッターカーテンを任意の開閉位置で保持することが可能なシャッター用ロック装置において、
前記支持シャフトと同軸上に配置されて、前記支持シャフトが貫通する中継部材を前記巻取芯部材の端部との対向面に配置し、
前記中継部材と前記ラチェットギヤの内縁部同士を一体回転可能に連結すると共に、前記巻取芯部材の端部に設けられた連結部と連結可能な被連結部を前記中継部材に形成したことを特徴とするシャッター用ロック装置。
【請求項２】
前記巻取芯部材の端部から突出した前記連結部としての連結突部と係合可能な前記被連結部としての連結孔を前記中継部材に貫通形成したことを特徴とする請求項１に記載のシャッター用ロック装置。
【請求項３】
前記中継部材と前記ラチェットギヤの内側に共通の円筒部材を嵌合して抜け止めし、
前記中継部材及び前記ラチェットギヤの各内周面と前記円筒部材の外周面とを一体回転可能に凹凸係合させたことを特徴とする請求項２に記載のシャッター用ロック装置。
【請求項４】
前記中継部材と前記ラチェットギヤとの間に回転軸方向でスペースを形成するスペース形成部を設けたことを特徴とする請求項２又は３に記載のシャッター用ロック装置。
【請求項５】
前記中継部材又は前記ラチェットギヤを構成する板金の一部を曲げ起こして前記スペース形成部としたことを特徴とする請求項４に記載のシャッター用ロック装置。
【発明の詳細な説明】
【技術分野】
【０００１】
本発明は、シャッターカーテンの巻取芯部材と同軸上に配置されて巻取芯部材と一体回転可能に連結されるラチェットギヤを備え、そのラチェットギヤの回転をロックすることで、シャッターカーテンを任意の開閉位置で保持することが可能なシャッター用ロック装置に関する。
【背景技術】
【０００２】
この種の従来のシャッター用ロック装置としては、巻取芯部材の端部から突出した連結突部を、ラチェットギヤに貫通形成された連結孔に差し込んで凹凸係合させることで、巻取芯部材とラチェットギヤとを一体回転可能に連結したものが知られている（特許文献１参照）。
【先行技術文献】
【特許文献】
【０００３】
【特許文献１】特開２０１０−２４２２９２号公報（段落［００３６］，第６図参照）
【発明の概要】
【発明が解決しようとする課題】
【０００４】
しかしながら、上記した従来のシャッター用ロック装置では、連結孔を形成するためにラチェットギヤを大径化せざるを得ず、その結果、シャッター用ロック装置の外径が大きくなるという問題があった。
【０００５】
本発明は、上記事情に鑑みてなされたもので、従来よりも外径を小さくすることが可能なシャッター用ロック装置の提供を目的とする。
【課題を解決するための手段】
【０００６】
上記目的を達成するためになされた請求項１の発明に係るシャッター用ロック装置は、シャッターカーテンの巻取芯部材を貫通してその巻取芯部材を回転可能に支持した支持シャフトと同軸上に配置されて、支持シャフトが貫通した状態で巻取芯部材と一体回転可能に連結されるラチェットギヤを備え、そのラチェットギヤの回転をロックすることで、シャッターカーテンを任意の開閉位置で保持することが可能なシャッター用ロック装置において、支持シャフトと同軸上に配置されて、支持シャフトが貫通する中継部材を巻取芯部材の端部との対向面に配置し、中継部材とラチェットギヤの内縁部同士を一体回転可能に連結すると共に、巻取芯部材の端部に設けられた連結部と連結可能な被連結部を中継部材に形成したところに特徴を有する。
【０００７】
請求項２の発明は、請求項１に記載のシャッター用ロック装置において、巻取芯部材の端部から突出した連結部としての連結突部と係合可能な被連結部としての連結孔を中継部材に貫通形成したところに特徴を有する。
【０００８】
請求項３の発明は、請求項２に記載のシャッター用ロック装置において、中継部材とラチェットギヤの内側に共通の円筒部材を嵌合して抜け止めし、中継部材及びラチェットギヤの各内周面と円筒部材の外周面とを一体回転可能に凹凸係合させたところに特徴を有する。
【０００９】
請求項４の発明は、請求項２又は３に記載のシャッター用ロック装置において、中継部材とラチェットギヤとの間に回転軸方向でスペースを形成するスペース形成部を設けたところに特徴を有する。
【００１０】
請求項５の発明は、請求項４に記載のシャッター用ロック装置において、中継部材又はラチェットギヤを構成する板金の一部を曲げ起こしてスペース形成部としたところに特徴を有する。
【発明の効果】
【００１１】
［請求項１及び２の発明］
請求項１のシャッター用ロック装置によれば、ラチェットギヤと巻取芯部材の端部との間に中継部材が配置され、その中継部材の内縁部とラチェットギヤの内縁部とが一体回転可能に連結されている。また、巻取芯部材の端部に設けられた連結部が中継部材に形成された被連結部と連結することで、巻取芯部材とラチェットギヤとが一体回転可能に連結される。そして、本発明によれば、巻取芯部材に備えた連結部と連結可能な被連結部を、ラチェットギヤとは別の中継部材に形成したから、ラチェットギヤを従来よりも小径化することができ、シャッター用ロック装置の外径を従来よりも小さくすることが可能になる。
【００１２】
ここで、シャッターカーテンが巻取芯部材の一端面から側方に張り出され、巻取芯部材に巻回されたシャッターカーテンの内側にシャッター用ロック装置が収容される構成とした場合には、シャッター用ロック装置の外径が小さくなった分だけ、巻取芯部材の外径を小さくすることができる。巻取芯部材の外径が小さくなれば、これに巻き取られた状態のシャッターカーテンの外径も小さくことができるから、巻き取ったシャッターカーテンを収容するシャッターケースを従来よりも小型化することが可能になる。
【００１３】
また、巻取芯部材の端部に連結部としての孔部が形成されている場合には、その孔部に係合可能な被連結部としての突部を中継部材から突出させた構成にしてもよいし、請求項２の発明のように、巻取芯部材の端部から連結部としての連結突部が突出している場合には、その連結突部が係合可能な被連結部としての連結孔を中継部材に貫通形成してもよい。
【００１４】
［請求項３の発明］
請求項３の発明によれば、中継部材及びラチェットギヤの内周面と、それらの内側に嵌合した共通の円筒部材の外周面とが凹凸係合することで、中継部材とラチェットギヤとを一体回転可能に連結することができる。
【００１５】
［請求項４の発明］
本発明のシャッター用ロック装置は、巻取芯部材から突出した連結突部の先端が中継部材の連結孔内に差し込まれた位置から、連結突部の先端がラチェットギヤに突き当たる位置までの範囲で支持シャフトに対して取り付けることができる。そして、請求項４の発明によれば、中継部材とラチェットギヤとの間に回転軸方向で隙間が設けられているから、その隙間の分だけ支持シャフトに対するシャッター用ロック装置の取付可能範囲を広げることができる。或いは、例えば、支持シャフトに対するシャッター用ロック装置の取り付け位置が予め定められている場合に、巻取芯部材の位置が支持シャフトの軸方向でばらついたとしても、そのばらつきをラチェットギヤと中継部材との間に形成された隙間で吸収することができ、巻取芯部材の位置のばらつきに拘わらず、シャッター用ロック装置を支持シャフトの所定位置に取り付けることが可能になる。
【００１６】
［請求項５の発明］
請求項５の発明によれば、ラチェットギヤと中継部材との間に回転軸方向でスペースを形成するスペース形成部は、中継部材又はラチェットギヤを構成する板金から曲げ起こされているので、部品点数の増加を抑えることができる。
【図面の簡単な説明】
【００１７】
【図１】本発明の第１実施形態に係るシャッター用ロック装置を備えたシャッター巻取装置の斜視図
【図２】シャッター用ロック装置の斜視図
【図３】シャッター用ロック装置と巻取シャフトとの連結構造を示す部分断面図
【図４】シャッター用ロック装置の分解斜視図
【図５】シャッターカーテンを閉操作している状態のシャッター用ロック装置の側断面図
【図６】シャッターカーテンを開操作している状態のシャッター用ロック装置の側断面図
【図７】ロック解除操作した直後のシャッター用ロック装置の側断面図
【図８】ロック解除状態を維持しているシャッター用ロック装置の側断面図
【図９】第２実施形態に係るシャッター用ロック装置の斜視図
【図１０】シャッター用ロック装置と巻取シャフトとの連結構造を示す部分断面図
【図１１】シャッター用ロック装置の分解斜視図
【図１２】シャッター用ロック装置及びシャッター巻取装置の固定構造を示す側断面図
【発明を実施するための形態】
【００１８】
［第１実施形態］
以下、本発明の第１実施形態を図１〜図８に基づいて説明する。図１に示したシャッター巻取装置１０は、例えば、住宅の窓（図示せず）の上縁部に取り付けられるものであって、シャッターカーテン１５を巻き取るための巻取シャフト１２（本発明の「巻取芯部材」に相当する）を支持シャフト１１にて回転可能に支持した構造になっている。シャッター巻取装置１０は、巻き取ったシャッターカーテン１５を収納するためのシャッターケース（図示せず）内に収容されており、支持シャフト１１は、シャッターケースの左右の両側壁間に差し渡された状態で支持されている。
【００１９】
図３に示すように、巻取シャフト１２は、巻取ロール１２Ｄの両端部（図３には、巻取ロール１２Ｄの一端部のみが示されている）の内側に、例えば、円筒状をなしたドラム１３を嵌合してなる。ドラム１３の周面の所定箇所には、螺子孔（図示せず）が形成され、その螺子孔に対応させて巻取ロール１２Ｄには螺子挿通孔（図示せず）が貫通形成されている。そして螺子挿通孔に挿通した螺子Ｎ１（図１参照）をドラム１３の周面の螺子孔に締め付けて、巻取ロール１２Ｄとドラム１３とが一体回転可能に固定されている。
【００２０】
図３に示すように、ドラム１３の軸中心にはセンター孔１３Ｃが貫通形成され、ドラム１３の端面のうちセンター孔１３Ｃの周りを均等分した複数位置（例えば３箇所）からは、本発明に係る「連結突部」及び「連結部」に相当する連結爪１４が軸方向（支持シャフト１１）と平行に突出している。連結爪１４は、例えば、ドラム１３の径方向で扁平な突片状をなしている。
【００２１】
支持シャフト１１は、円筒パイプ構造をなし、巻取シャフト１２の両端のセンター孔１３Ｃ（詳細には、ドラム１３のセンター孔１３Ｃ）を貫通して巻取シャフト１２の両端面より両横方向に延びている。そして、支持シャフト１１の両端部が図示しない取付ベースに回転不能にそれぞれ固定され、それら取付ベースがシャッターケース（図示せず）の左右の両側壁面に固定されている。
【００２２】
また、巻取シャフト１２の内部には、図示しないトーションコイルバネが支持シャフト１１に巻回して設けられており、このトーションコイルバネは一端がドラム１３に固定され、他端が支持シャフト１１に固定されている。これにより、巻取シャフト１２は、シャッターカーテン１５を巻き取る方向に付勢されている。
【００２３】
シャッターカーテン１５は、複数の帯状金属板を連結してなる公知なキャタピラ構造になっている。また、シャッターカーテン１５の横幅は、巻取シャフト１２の軸長より大きくなっている。そして、シャッターカーテン１５の巻回長方向の一端部を巻取シャフト１２の外周面に宛がい、巻取シャフト１２の両端面からシャッターカーテン１５が両横方向に張り出した状態にして、シャッターカーテン１５が巻取シャフト１２に螺子止めされている。具体的には、前記したドラム１３の周面の螺子孔（図示せず）に締め付けられる螺子Ｎ１を、シャッターカーテン１５の一端部に備えた螺子挿通孔（図示せず）にも挿通して、巻取ロール１２Ｄとシャッターカーテン１５とがドラム１３の螺子孔（図示せず）に共締めされている。
【００２４】
また、シャッター巻取装置１０が取り付けられる住宅の窓の両側縁部には、図示しないシャッターレールがそれぞれ備えられている。そして、シャッターカーテン１５のうち巻取シャフト１２から下方に延びた部分の両側部が、それらシャッターレールに係合した状態に維持され、シャッターカーテン１５の下端部を下方に手動で引くことにより、巻取シャフト１２の回転を伴いながらシャッターカーテン１５が巻取シャフト１２から引き出される。
【００２５】
シャッター巻取装置１０には、シャッターカーテン１５を任意の開閉位置で保持（具体的には、任意の位置まで閉めて、そこから上方に開かないようにロック）するためのシャッター用ロック装置２０が備えられている。
【００２６】
図２に示すように、シャッター用ロック装置２０は、偏平円盤状のハウジング２１を備えている。ハウジング２１の軸中心には、シャフト挿通孔２１Ａが貫通形成され、その内側に支持シャフト１１が遊嵌状態に挿通されている（図１参照）。
【００２７】
ハウジング２１は、支持シャフト１１が直交した前側端面２１Ｆと後側端面２１Ｒとを有し、前側端面２１Ｆが巻取シャフト１２の一端面（即ち、ドラム１３）に対向配置される。また、シャッター用ロック装置２０全体の外径でもあるハウジング２１の外径は、巻取シャフト１２の外径より若干小さくなっている。そして、シャッターカーテン１５が巻取シャフト１２に巻き取られて円筒状になった場合には、その円筒状のシャッターカーテン１５の内側にシャッター用ロック装置２０が配置されるようになっている。
【００２８】
ハウジング２１の後側端面２１Ｒを構成する壁部は、ハウジング２１の側壁２１Ｓと一体成形された後端壁２１Ｘと、その後端壁２１Ｘに宛がわれて螺子Ｎ２によって固定された後側板金６０とで構成されている。後側板金６０のうち、シャフト挿通孔２１Ａを間に挟んだ開口縁の対向位置からは１対の固定片２２，２２が後方に曲げ起こされている。各固定片２２，２２のうち後側板金６０の本体部分との間の屈曲部には、それぞれ肉抜き孔２２Ｃが形成されている。各固定片２２，２２にはそれぞれボルト挿通孔２２Ｂ，２２Ｂが貫通成形されている。そして、支持シャフト１１を径方向で貫通した図示しない取付孔とボルト挿通孔２２Ｂ，２２ＢとにボルトＮ３が挿通されてその先端部にナット（図示せず）を締め付けることでハウジング２１が支持シャフト１１に固定されている（図１参照）。
【００２９】
図３に示すように、ハウジング２１のうち前側端面２１Ｆを構成する壁部は蓋体２３になっている。図４に示すように、蓋体２３はハウジング２１の本体に螺子Ｎ２にて固定され、中心部にシャフト挿通孔２１Ａより径が大きな前面孔２３Ａを有している。そして、その前面孔２３Ａを介して次述する中継部材７０に備えた複数の爪係合孔７１（本発明の「連結孔」及び「被連結部」に相当する）が巻取シャフト１２の一端面に臨んでいる。
【００３０】
図４に示すように、ハウジング２１の内部にはラチェットギヤ２６と中継部材７０とがシャフト挿通孔２１Ａ（支持シャフト１１）と同軸上に配置されている。ラチェットギヤ２６と中継部材７０は略同一径の円板状をなし、それぞれ中心にシャフト挿通孔２６Ａ，７０Ａが貫通形成されている。また、中継部材７０はラチェットギヤ２６よりも蓋体２３側に配置されており、蓋体２３の前面孔２３Ａを介して巻取シャフト１２の一端面（ドラム１３）と対向している。
【００３１】
中継部材７０及びラチェットギヤ２６の内周面には、シャフト挿通孔２６Ａ，７０Ａを周方向で均等分した複数の位置（例えば３箇所）に係止凹部２６Ｃ，７０Ｃがそれぞれ形成されている。係止凹部２６Ｃ，７０Ｃは、それぞれシャフト挿通孔２６Ａ，７０Ａの周方向に延びた円弧状をなしている。
【００３２】
図３に示すように、ラチェットギヤ２６及び中継部材７０のシャフト挿通孔２６Ａ，７０Ａには、共通の連結スリーブ２４（本発明の「円筒部材」に相当する）が嵌合している。図４に示すように、連結スリーブ２４は円筒形をなしており、その外周面を周方向で均等分した複数の位置（例えば３箇所）に係止凸部２４Ａが形成されている。係止凸部２４Ａは、ラチェットギヤ２６及び中継部材７０に備えた係止凹部２６Ｃ，７０Ｃに対応して円弧状に湾曲しており、係止凸部２４Ａに係止凹部７０Ｃ，２６Ｃが凹凸係合して、中継部材７０とラチェットギヤ２６と連結スリーブ２４とが一体回転可能に連結されている。
【００３３】
ここで連結スリーブ２４の外径は、軸方向の中間部より蓋体２３側の前側部分が後側部分に対して段付き状に小径になっており、前側部分の外周面に前記した係止凸部２４Ａが形成されている。そして、連結スリーブ２４の外周面の中間部に形成された段差部と、蓋体２３とによって連結スリーブ２４からの中継部材７０及びラチェットギヤ２６の抜け止めがなされている。なお、連結スリーブ２４は、ハウジング２１内に配置される長さをなしている。
【００３４】
図３に示すように、連結スリーブ２４の内側には、センターパイプ２１Ｐが備えられ、連結スリーブ２４はセンターパイプ２１Ｐによって回転可能に支持されている。そのセンターパイプ２１Ｐは、図４に示すようにハウジング２１の後端壁２１Ｘに一体成形されている。そして、センターパイプ２１Ｐの内側が前記したシャフト挿通孔２１Ａになっていて、そこに支持シャフト１１（図２参照）が挿通されている。なお、連結スリーブ２４は、摺動性に優れた樹脂（例えば、ポリアセタール樹脂）で構成されており、ラチェットギヤ２６及び中継部材７０のシャフト挿通孔２６Ａ，７０Ａと、センターパイプ２１Ｐの外周面との間に嵌合して軸受（滑り軸受）となっている。
【００３５】
図４に示すように、中継部材７０におけるシャフト挿通孔７０Ａの内縁部からは、複数（例えば３つ）の突出片７２（本発明の「スペース形成部」に相当する）が起立している。これら突出片７２は、中継部材７０を構成する板金を曲げ起こして成形されている。詳細には、曲げ起こす前の展開状態で、中継部材７０を構成する板金のうち、シャフト挿通孔７０Ａの周りを均等分した複数位置に対をなすスリットが形成されており、それら対をなすスリットの間に片持ち梁状の矩形突片が形成されている。そして、その矩形突片の基端部を直角曲げして中継部材７０の回転軸方向と平行に起立させることで、前記突出片７２が形成されている。
【００３６】
そして、中継部材７０は、突出片７２がラチェットギヤ２６に向かって突出するようにして組み付けられており、その突出片７２の先端がラチェットギヤ２６におけるシャフト挿通孔２６Ａの縁部に突き当てられている。これにより、ラチェットギヤ２６と中継部材７０との間には、回転軸方向で突出片７２の長さ分のスペースＳ１が確保される（図３参照）。
【００３７】
このスペースＳ１を設けたことにより、以下のような効果を奏する。即ち、シャッター用ロック装置２０は、巻取シャフト１２の端面から突出した連結爪１４の先端が中継部材７０の爪係合孔７１内に差し込まれた位置から、連結爪１４の先端がラチェットギヤ２６に突き当たる位置までの範囲で支持シャフト１１に対して取り付けることができる。ここで、本実施形態では、中継部材７０とラチェットギヤ２６との間にスペースＳ１が設けられているから、そのスペースＳ１の分だけ支持シャフト１１に対するシャッター用ロック装置２０の取付可能範囲を広げることができる。或いは、例えば、支持シャフト１１に対するシャッター用ロック装置２０の取り付け位置が予め定められている場合（具体的には、ボルトＮ３が挿通される取付孔が支持シャフト１１に予め形成されている場合）に、巻取シャフト１２の位置が支持シャフト１１の軸方向でばらついたとしても、そのばらつきをラチェットギヤ２６と中継部材７０との間に形成されたスペースＳ１で吸収することができ、巻取シャフト１２の取付位置のばらつきに拘わらず、シャッター用ロック装置２０を支持シャフト１１の所定位置に取り付けることが可能になる。
【００３８】
図４に示すように、中継部材７０のうちシャフト挿通孔７０Ａの周りには、長方形の複数の爪係合孔７１が均等配置されている。爪係合孔７１は、中継部材７０を構成する壁部のうち、係止凹部７０Ｃ及び突出片７２に対して周方向に位相をずらした比較的幅広な部分に貫通形成されている。そして、巻取シャフト１２の端部のドラム１３から突出した複数の連結爪１４が、蓋体２３の前面孔２３Ａを介して、中継部材７０の複数の爪係合孔７１に差し込まれている（図３参照）。これにより、中継部材７０及びラチェットギヤ２６が巻取シャフト１２と一体回転可能に連結されている。ここで、中継部材７０のうち爪係合孔７１よりも外側の外縁部は蓋体２３によって覆われている。以下、シャッターカーテン１５を閉じるとき（巻取シャフト１２から繰り出すとき）に巻取シャフト１２と共にラチェットギヤ２６が回転する方向を「閉方向Ｈ１」といい、シャッターカーテン１５を開くとき（巻取シャフト１２に巻き取るとき）に巻取シャフト１２と共にラチェットギヤ２６が回転する方向を「開方向Ｈ２」という。
【００３９】
図５に示すように、ラチェットギヤ２６の外周面には、複数の係止歯２６Ｔが突出している。これら各係止歯２６Ｔは、ラチェットギヤ２６を開方向Ｈ２へ回動したときに回動方向の前側に向かって突出するように傾斜している。より詳細には、係止歯２６Ｔのうちラチェットギヤ２６を開方向Ｈ２へ回動したときに前側を向く歯面は、後述するラチェットレバー３０の回動軸である第１回動支持シャフト３１を中心とした円弧形状の係止面２６Ｋになっている。一方、係止歯２６Ｔのうちラチェットギヤ２６を開方向Ｈ２へ回動したときに後側を向く歯面は、係止歯２６Ｔの先端に向かうに従って、隣の係止歯２６Ｔから離れるように傾斜した摺接面２６Ｓになっている。
【００４０】
図５に示すように、ハウジング２１の側壁２１Ｓとラチェットギヤ２６との間には、第１回動支持シャフト３１と第２回動支持シャフト４１とが設けられている。第１回動支持シャフト３１及び第２回動支持シャフト４１は、両端部をハウジング２１の蓋体２３と後端壁２１Ｘとに支持されている。また、第１回動支持シャフト３１及び第２回動支持シャフト４１は、ラチェットギヤ２６の回転軸と平行に延び、例えば、ラチェットギヤ２６の回転中心周りに６０度程度、離れた位置に配置されている。
【００４１】
そして、ラチェットレバー３０が、第１回動支持シャフト３１を中心に回動可能に設けられる一方、解除保持レバー４０が、第２回動支持シャフト４１を中心に回動可能に設けられている。
【００４２】
ラチェットレバー３０は、第１回動支持シャフト３１から第２回動支持シャフト４１側に向かって延びている。また、ラチェットレバー３０の基端部には、第２回動支持シャフト４１から離れる側に突出した基端突部３４が備えられている。
【００４３】
ラチェットレバー３０のうち第２回動支持シャフト４１側の先端寄り位置からは、ラチェットギヤ２６に向かって係止爪３２が突出している。係止爪３２は、隣り合った係止歯２６Ｔ，２６Ｔの間の凹部形状に対応した略三角形になっていて、ラチェットレバー３０の回動半径方向に対して傾斜した斜面３２Ｓを第１回動支持シャフト３１側に備える一方、第１回動支持シャフト３１を中心とした円弧形状の係止面３２Ｋを第１回動支持シャフト３１から離れた側に備えている。そして、係止爪３２が係止歯２６Ｔに押し付けられるように付勢された状態（図６に示す状態）で、ラチェットギヤ２６が開方向Ｈ２の回転トルクを受けたときに、係止爪３２の係止面３２Ｋが何れかの係止歯２６Ｔの係止面２６Ｋに当接してラチェットレバー３０がラチェットギヤ２６に係止し、ラチェットギヤ２６の回転を禁止する。これにより、シャッターカーテン１５が開かないようにロックされる。また、図５に示すように、係止爪３２が係止歯２６Ｔから離れた状態になると、ラチェットレバー３０はラチェットギヤ２６に係止できなくなり、ラチェットギヤ２６の回転が許容される。
【００４４】
ラチェットレバー３０を、ラチェットギヤ２６に係止可能なラチェット有効位置（図６に示す位置）に向けて付勢するために、ラチェットレバー３０には、ラチェット摺接部材８０が一体回動可能に固定されている。ラチェット摺接部材８０は、ラチェットレバー３０のうちラチェットギヤ２６側を向いた外面からラチェットギヤ２６に向かって突出した１対の弾性対向片８１，８１（図４参照）を備え、それら弾性対向片８１，８１の間にラチェットギヤ２６を挟持している。また、図４に示すように、弾性対向片８１，８１のうち互いに対向する位置には、互いに接近する側に隆起した１対の摺接突部８１Ｔ，８１Ｔが設けられている。なお、ラチェット摺接部材８０は、板金をプレスで打ち抜きかつ折り曲げて成形されている。
【００４５】
ラチェット摺接部材８０は、ラチェットレバー３０の第１回動支持シャフト３１を取付片８４の取付孔に挿通して、取付片８４をラチェットレバー３０の側面に当接させかつ、１対の弾性対向片８１，８１を連絡した中央板部８３がラチェットレバー３０におけるラチェットギヤ２６側の外縁部に宛がわれた状態に組み付けられている。これにより、ラチェット摺接部材８０とラチェットレバー３０とが一体回動可能な状態になっている。
【００４６】
そして、ラチェットギヤ２６が開方向Ｈ２に回転したときに、ラチェット摺接部材８０とラチェットギヤ２６の側面との摩擦によってラチェットレバー３０がラチェット有効位置に付勢される。このとき、ラチェットレバー３０が受ける付勢力のことを、以下「正の付勢力」という。また、ラチェットギヤ２６が閉方向Ｈ１に回転したときには、ラチェット摺接部材８０とラチェットギヤ２６の側面との摩擦によって、ラチェットレバー３０はラチェットギヤ２６に係止不能なラチェット無効位置に付勢される。なお、ラチェットギヤ２６が閉方向Ｈ１に回転し続けている間、ラチェットレバー３０は、ハウジング２１の側壁２１Ｓに当接しかつ後述する解除保持レバー４０から離間した最端のラチェット無効位置（図５に示す位置）に配置される。
【００４７】
図４に示すように、ラチェットレバー３０のうち係止爪３２より第２回動支持シャフト４１側に突出した先端位置には、ハウジング２１の後側端面２１Ｒ側に向けて略円柱状の回動干渉部３３が突出している。
【００４８】
解除保持レバー４０は、ラチェットギヤ２６より後側端面２１Ｒ側に配置され、図５に示すように、第２回動支持シャフト４１から第１回動支持シャフト３１側に張り出した作用回動片４２とその第１回動支持シャフト３１と反対側に張り出した連結回動片４３とを備えたシーソー構造になっている。また、解除保持レバー４０とハウジング２１との間には、トーションコイルバネ４６が設けられ、そのトーションコイルバネ４６の弾発力によって、解除保持レバー４０がその可動範囲のうち、作用回動片４２の先端部がラチェットギヤ２６の回動中心に最も接近した待機位置（図５及び図６で示した位置）に付勢されている。
【００４９】
作用回動片４２の先端部の可動領域の一部と、回動干渉部３３の可動領域の一部とは重複している。ここで、作用回動片４２の先端部の可動領域と、回動干渉部３３の可動領域との重複部分を「干渉領域」と呼ぶと、解除保持レバー４０が待機位置（図６で示した位置）に配置された状態で、作用回動片４２の先端部は、干渉領域よりラチェットギヤ２６の回転中心側に外れた位置に配置される。そして、解除保持レバー４０が回動可能範囲のうち待機位置と反対側のロック解除位置（図６から時計回り方向に移動した位置）まで回動する間に、作用回動片４２の先端部における回動方向の前側を向いた跳上当接面４５が、回動干渉部３３をラチェットギヤ２６から離れる方向に押圧して、図７に示すように、作用回動片４２の先端部から回動干渉部３３が離れかけた最端寄りのラチェット無効位置までラチェットレバー３０を回動させる。
【００５０】
作用回動片４２の先端には、作用回動片４２の回動半径方向を向き、中央が若干窪んだ先端突当面４４が備えられている。その先端突当面４４は、解除保持レバー４０がロック解除位置に位置した状態で干渉領域内に配置される。そして、ラチェットレバー３０が、開方向Ｈ２に回動するラチェットギヤ２６から回動干渉部３３を介して正の付勢力を受けることで、最端のラチェット無効位置からラチェット有効位置寄りの中間のラチェット無効位置へと移動したときに、先端突当面４４がラチェットレバー３０に当接し（図８参照）、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持される。
【００５１】
図４に示すように、ハウジング２１の後側端面２１Ｒを構成する壁部には、連結回動片４３の可動領域と対向する部分に操作孔２１Ｗが形成されている。この操作孔２１Ｗは、支持シャフト１１に接離する方向に長い長方形になっている。また、ハウジング２１の後側端面２１Ｒのうち操作孔２１Ｗの一長辺に沿った開口側縁からは、支持突片５０が後方に突出し、その支持突片５０に中継レバー５１が傾動可能に支持されている（図２参照）。
【００５２】
中継レバー５１は、板金をクランク状に屈曲してなり、その屈曲部分より一端側の第１回動片５１Ａが支持突片５０に重ねられた状態でビス５１Ｊにて回動可能に取り付けられている。そして、第１回動片５１Ａの先端が操作孔２１Ｗからハウジング２１の内側に挿入されて（図３参照）、操作孔２１Ｗの長手方向に往復動する。また、中継レバー５１のうち屈曲部分より他端側の第２回動片５１Ｂは、支持シャフト１１を避けるようにハウジング２１の後側端面２１Ｒにおける外縁側に配置され、その第２回動片５１Ｂの先端部には、ワイヤー５３が連結されている（図１参照）。そのワイヤー５３の先端は、シャッターカーテン１５の室内側に垂らされているか、シャッターカーテン１５の室内側に設けた図示しないロック解除操作部に連結されている。
【００５３】
図３に示すように、中継レバー５１の第２回動片５１Ｂのうち屈曲部分寄りの基端部には、フック５１Ｙが形成されている。これに対応させて、ハウジング２１の後側端面２１Ｒにもフック５１Ｘが形成され、これらフック５１Ｘ，５１Ｙの間に引張コイルバネ５２が架け渡されている。これにより、中継レバー５１は、第２回動片５１Ｂがハウジング２１の後側端面２１Ｒに接近する方向に付勢され、第１回動片５１Ａの先端部が、操作孔２１Ｗのうち支持シャフト１１から離れた側の端部に位置した原点位置に中継レバー５１が配置されている。そして、ロック解除操作部の操作或いはワイヤー５３の直接操作により、第２回動片５１Ｂを後側端面２１Ｒから離す側にワイヤー５３が引っ張られると、第１回動片５１Ａの先端部が支持シャフト１１側の端部に移動して、その過程で第１回動片５１Ａの先端部が解除保持レバー４０の連結回動片４３を押圧する。これにより、解除保持レバー４０が、図６から図７への変化に示すように待機位置からロック解除位置へと回動する。
【００５４】
本実施形態のシャッター用ロック装置２０の構成に関する説明は以上である。次に、シャッター用ロック装置２０の作用効果について説明する。本実施形態のシャッター用ロック装置２０では、シャッターカーテン１５が閉操作されてラチェットギヤ２６が閉方向Ｈ１のトルクを受けると、そのラチェットギヤ２６とラチェット摺接部材８０との摺接の摩擦によって、ラチェット摺接部材８０と一体回動可能なラチェットレバー３０が、ラチェットギヤ２６に係止不能な最端のラチェット無効位置に付勢される。これにより、図５に示すように、シャッターカーテン１５を閉操作している間は、ラチェットレバー３０がラチェットギヤ２６から離間して係止することがなくなり、任意の位置までシャッターカーテン１５を閉めることができる。更に、シャッターカーテン１５を閉操作している間は、ラチェットレバー３０とラチェットギヤ２６とが接触しないので、静粛性に優れたものとすることができる。
【００５５】
一方、シャッターカーテン１５の閉操作を止めることに伴い、シャッターカーテン１５を巻き取る方向に付勢された巻取シャフト１２によりラチェットギヤ２６が開方向Ｈ２のトルクを受けると、そのラチェットギヤ２６とラチェット摺接部材８０との摺接の摩擦によって、ラチェットレバー３０がラチェットギヤ２６に係止可能なラチェット有効位置に付勢される。これにより、図６に示すように、ラチェットレバー３０がラチェットギヤ２６に係止し、任意の位置でシャッターカーテン１５を開かないようにロックすることができる。そのロックを解除してシャッターカーテン１５を開く場合には、例えば、シャッターカーテン１５の室内側にある図示しないロック解除操作部或いはワイヤー５３を直接操作して中継レバー５１を原点位置から傾動させる。この操作を一度行うとその過程で、解除保持レバー４０が、待機位置（図６に示した位置）からロック解除位置（図７に示した位置）へと回動して、ラチェットレバー３０をラチェット有効位置からラチェット無効位置へと移動させる。これにより、シャッターカーテン１５を開くことができるようになる。
【００５６】
ここで、ラチェットレバー３０は、解除保持レバー４０によってラチェット無効位置まで移動されたときには、その解除保持レバー４０と離れかけた最端寄りのラチェット無効位置まで移動する。そして、巻取り方向に付勢された巻取シャフト１２によるシャッターカーテン１５の巻き取りが開始されると、それに伴って開方向Ｈ２に回動するラチェットギヤ２６とラチェット摺接部材８０との摩擦により、ラチェットレバー３０が、最端寄りのラチェット無効位置からラチェット有効位置寄り中間のラチェット無効位置へと移動する。すると、そのラチェットレバー３０の回動干渉部３３が、ロック解除位置に配置されている解除保持レバー４０の先端突当面４４に当接し、図８に示すように、第１と第２の回動支持シャフト３１，４１の間で、ラチェットレバー３０と解除保持レバー４０とが突っ張り状態に保持される。これにより、ラチェットレバー３０がラチェット無効位置に保持され、ロック解除状態が維持されるので、シャッターカーテン１５を自動的に巻き取ることができる。つまり、シャッターカーテン１５を自動的に開放することができる。
【００５７】
即ち、一度の操作だけでロック解除状態が維持されるので、ロック解除操作部によるロック解除操作を行い続ける必要がなくなる。つまり、ロック解除操作を一度行いさえすれば、巻取シャフト１２に付与された付勢力のみでシャッターカーテン１５を開くことができる。また、ロック解除状態を解消するには、シャッターカーテン１５を閉操作するだけでよい。すると、そのシャッターカーテン１５の閉操作に伴って閉方向Ｈ１に回動するラチェットギヤ２６とラチェット摺接部材８０との摩擦により、ラチェットレバー３０が中間のラチェット無効位置から最端のラチェット無効位置へと移動し、解除保持レバー４０から離間する。そして、トーションコイルバネ４６の付勢により解除保持レバー４０が待機位置に戻る（図５参照）。
【００５８】
本実施形態のシャッター用ロック装置２０は、以下のようにしてシャッター巻取装置１０に取り付けることができる。即ち、ハウジング２１の前側端面２１Ｆを巻取シャフト１２の一端面に向けた状態で、シャフト挿通孔２１Ａに支持シャフト１１を挿通する。次に、巻取シャフト１２の端部のドラム１３から起立した連結爪１４を、ハウジング２１の前面孔２３Ａを介して露出した中継部材７０の爪係合孔７１に挿入して凹凸係合させる。その凹凸係合を維持したまま、ハウジング２１の固定片２２，２２に貫通形成されたボルト挿通孔２２Ｂ，２２Ｂと、支持シャフト１１を径方向で貫通した図示しない取付孔を同軸上に配置して、それらにボルトＮ３を挿通し、ボルトＮ３の先端にナット（図示せず）を締め付ける。これにより、シャッター用ロック装置２０が巻取シャフト１２と支持シャフト１１との間に連結され、ラチェットギヤ２６が巻取シャフト１２と一体回転可能に連結される。
【００５９】
このように、本実施形態のシャッター用ロック装置２０によれば、ラチェットギヤ２６と巻取シャフト１２の端部との間に中継部材７０が配置され、その中継部材７０の中心を貫通したシャフト挿通孔７０Ａの内側と、ラチェットギヤ２６の中心を貫通したシャフト挿通孔２６Ａの内側に、共通の連結スリーブ２４が回転不能に嵌合されたことで、中継部材７０とラチェットギヤ２６とが支持シャフト１１を中心にして一体回転可能に連結されている。そして、巻取シャフト１２に備えた連結爪１４と係合する爪係合孔７１を、ラチェットギヤ２６とは別の中継部材７０に形成したから、ラチェットギヤ２６を従来よりも小径化することができ、シャッター用ロック装置２０の外径を従来よりも小さくすることが可能になる。
【００６０】
また、本実施形態では、シャッターカーテン１５が巻取シャフト１２の端面から側方に張り出され、その巻取シャフト１２に巻回されたシャッターカーテン１５の内側にシャッター用ロック装置２０が収容可能となっているが、シャッター用ロック装置２０の外径が従来より小さくなったことで、巻取シャフト１２の外径も小さくすることが可能になる。巻取シャフト１２の外径が小さくなれば、これに巻き取られた状態のシャッターカーテン１５の外径も小さくことができるから、巻き取ったシャッターカーテン１５を収容するシャッターケースを従来よりも小型化すること（特に建物から出っ張る方向への薄型化）が可能になり、見栄えを向上させると共に低コスト化が可能になる。
【００６１】
［第２実施形態］
本実施形態は図９〜図１１に示されており、巻取シャフト１２を構成するドラム１３と、シャッター用ロック装置２０に備えた中継部材７０との間がボルトＮ４で固定されている点、連結スリーブ２４が延長されてハウジング２１の前面孔２３Ａから突出し、ドラム１３のセンター孔１３Ｃの内周面と支持シャフト１１の外周面との間に嵌合されている点が主に上記第１実施形態とは異なる。
【００６２】
ドラム１３は、図１１に示すように、巻取ロール１２Ｄの内周面に嵌合する外筒体１３Ｘと、支持シャフト１１の外周面に嵌合する内筒体１３Ｙとを備え、それら内筒体１３Ｙと外筒体１３Ｘの一端部同士が環状の閉塞壁１３Ｚにて連結されている。内筒体１３Ｙの内側はセンター孔１３Ｃとなっており、外筒体１３Ｘの所定箇所には、巻取ロール１２Ｄとドラム１３とを螺子Ｎ１にて固定するための螺子孔１３Ａが形成されている。
【００６３】
ドラム１３の閉塞壁１３Ｚには、センター孔１３Ｃの周りを均等分した複数位置（例えば３箇所）に螺子挿通孔１３Ｂが貫通形成されている。これら螺子挿通孔１３Ｂに対応して、中継部材７０にはシャフト挿通孔７０Ａの周りを均等分した複数位置（例えば３箇所）に螺子孔７４（本発明の「連結孔」及び「被連結部」に相当する）が貫通形成されている。そして、ドラム１３の内側から螺子挿通孔１３Ｂに挿通されたボルトＮ４（本発明の「連結突部」及び「連結部」に相当する）が、中継部材７０の螺子孔７４に締め付けられて、ドラム１３と中継部材７０とが一体回転可能に固定されている。
【００６４】
中継部材７０には、ドラム１３に向かって突出した突き当て片７３が形成されている。突き当て片７３は、中継部材７０を周方向で均等分した複数位置（例えば３箇所）に形成されており、突出片７２と同様に、中継部材７０を構成する板金の一部を曲げ起こして形成されている。詳細には、曲げ起こす前の展開状態で中継部材７０の径方向の外側に張り出した矩形突片を、その基端部で突出片７２とが逆向きに直角曲げして形成されている。そして、各突き当て片７３は、蓋体２３の前面孔２３Ａからハウジング２１の外側に突出して、先端がドラム１３の閉塞壁１３Ｚに突き当て可能となっている。これにより、ハウジング２１の蓋体２３とドラム１３の閉塞壁１３Ｚとの間に所定の隙間が確保され、巻取シャフト１２が回転した場合に、ハウジング２１との間で摩擦が発生することを防止している。
【００６５】
さらに、連結スリーブ２４は、蓋体２３の前面孔２３Ａを通ってハウジング２１から突出しており、その突出部分がドラム１３の内筒体１３Ｙの内側（センター孔１３Ｃ）に嵌合している。詳細には、連結スリーブ２４がセンター孔１３Ｃの内周面と支持シャフト１１の外周面との間に嵌合して軸受となっている。
【００６６】
本実施形態のシャッター用ロック装置２０は、以下のようにしてシャッター巻取装置１０に組み付けることができる。即ち、シャッター用ロック装置２０の蓋体２３から突出した連結スリーブ２４を、巻取シャフト１２（巻取ロール１２Ｄ）の一端に取り付けられるドラム１３のセンター孔１３Ｃに挿通し、ドラム１３の内側から閉塞壁１３Ｚの螺子挿通孔１３Ｂに通した螺子Ｎ４を、中継部材７０に形成された螺子孔７４に螺合して締め付ける。これにより、シャッター用ロック装置２０とドラム１３とが一体化される。
【００６７】
次に、一体化されたドラム１３とシャッター用ロック装置２０の中心に支持シャフト１１を挿通して、巻取ロール１２Ｄの螺子挿通孔（図示せず）に挿通した螺子Ｎ１をドラム１３の外筒体１３Ｘに形成された螺子孔１３Ａに螺合して締め付ける。
【００６８】
最後に、ハウジング２１の固定片２２，２２に貫通形成されたボルト挿通孔２２Ｂ，２２Ｂと、支持シャフト１１を径方向で貫通した図示しない取付孔を同軸上に配置して、それらにボルトＮ３を挿通し、ボルトＮ３の先端にナット（図示せず）を締め付ける。これにより、シャッター用ロック装置２０が巻取シャフト１２と支持シャフト１１との間に連結され、ラチェットギヤ２６が巻取シャフト１２と一体回転可能に連結される。
【００６９】
その他の構成は、上記第１実施形態と同じであるので、同じ構成については、同一符号を付し、重複する説明は省略する。本実施形態の構成によっても上記第１実施形態と同等の効果を奏する。
【００７０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００７１】
（１）上記第１及び第２実施形態では、支持シャフト１１に対するシャッター用ロック装置２０の固定と、シャッターケースの左右の両側壁に固定された取付ベース（図示せず）に対する支持シャフト１１の固定とを別々に行う必要があったが、これらの固定を一度に行うことが可能な構成にしてもよい。
【００７２】
具体的には、図１２に示すように取付ベース９０は、例えば、板金を直角曲げして形成されており、上面及び支持シャフト１１の軸方向（図１２における紙面と直交する方向）の両側面が開放したコの字形の支持凹部９１と、支持凹部９１の各辺から側方に向かって直角に張り出した複数の敷設板９２とを備えている。取付ベース９０は、各敷設板９２を、図示しないシャッターケースの左右の両側壁又は住居の壁面に宛がって螺子により固定されており、支持凹部９１の内側に支持シャフト１１の端部を受け入れて支持するようになっている。
【００７３】
支持凹部９１のうち底壁９１Ａから直角に起立した１対の対向側壁９１Ｂ，９１Ｂには、それぞれボルト挿通孔９１Ｃ，９１Ｃが貫通形成されている。そして、シャッター用ロック装置２０に備えた固定片２２，２２（図２及び図９参照）と支持シャフト１１の外周面との間に、取付ベース９０の対向側壁９１Ｂ，９１Ｂを挟んだ状態で、同軸上に配置された固定片２２，２２のボルト挿通孔２２Ｂ，２２Ｂと、取付ベース９０のボルト挿通孔９１Ｃ，９１Ｃと、支持シャフト１１を径方向で貫通した取付孔１１Ａとに共通のボルトＮ３が挿通されて、その先端部にナットＭ１が締め付けられている。
【００７４】
このような構成にすれば、取付ベース９０に対する支持シャフト１１の固定と、支持シャフト１１に対するシャッター用ロック装置２０の固定とを共通のボルトＮ３及びナットＭ１で行うことができかつ、それらの固定作業を同時に行うことができるから、部品点数の削減及び作業の軽減を図ることができる。
【００７５】
（２）上記第１及び第２実施形態では、シャッター用ロック装置２０のハウジング２１を支持シャフト１１に固定していたが、ハウジング２１を図示しないシャッターケースの一方の側壁又は住居の壁面に固定してもよい。また、シャッター用ロック装置２０は、ハウジング２１を備えていなくてもよく、ラチェットギヤ２６、ラチェットレバー３０、解除保持レバー４０、中継レバー５１等の部品を板金部材に組み付けておき、その板金部材をシャッターケースの側壁や、住居の壁面に固定可能としてもよい。
【００７６】
（３）上記第１及び第２実施形態では、ワイヤー５３を手動で引っ張ることで中継レバー５１を回動させる構成であったが、例えば、モータ等のアクチュエータの動力で中継レバー５１を回動可能としてもよい。このとき、アクチュエータをシャッター用ロック装置２０と同軸横並びになるように支持シャフト１１に取り付けて、シャッターカーテン１５の室内側に配置したスイッチにてアクチュエータを遠隔操作可能にしてもよい。また、アクチュエータは、巻取シャフト１２に巻き取られて円筒状になったシャッターカーテン１５の内側に配置することが可能な外形寸法にするとより好ましい。
【００７７】
（４）上記第１及び第２実施形態では、本発明の「連結孔」及び「被連結部」に相当する複数の爪係合孔７１又は螺子孔７４を、中継部材７０の周方向で均等な間隔で設けていたが、不均等な間隔で設けてもよい。
【００７８】
（５）上記第１及び第２実施形態では、連結スリーブ２４を介して中継部材７０とラチェットギヤ２６とが一体回転可能に連結されていたが、中継部材７０とラチェットギヤ２６の内周縁同士を直接連結してもよい。具体的には、中継部材７０（又はラチェットギヤ２６）におけるシャフト挿通孔の内周縁の複数位置から突片を直角に曲げ起こし、その突片をラチェットギヤ２６（又は中継部材７０）のシャフト挿通孔の内周縁の複数位置に形成した凹部に凹凸係合させた構成としてもよい。
【００７９】
（６）上記第１及び第２実施形態では、中継部材７０とラチェットギヤ２６との間にスペースＳ１を形成するために、中継部材７０の内縁部から突出片７２を曲げ起こしていたが、ラチェットギヤ２６の内縁部から中継部材７０に向けて突出片を曲げ起こしてもよい。また、連結スリーブ２４の外周面に、シャフト挿通孔２６Ａは通過可能でシャフト挿通孔７０Ａは通過不可能な凸部を形成してこれを「スペース形成部」としてもよいし、中継部材７０、ラチェットギヤ２６及び連結スリーブ２４とは別部品のリング状スペーサを、中継部材７０とラチェットギヤ２６との間に挟んでスペースＳ１を形成してもよい。
【００８０】
（７）上記第１及び第２実施形態では、シャッター用ロック装置２０と連結される「巻取芯部材」の一例として、巻取ロール１２Ｄを備えた筒形構造の巻取シャフト１２を例示したが、巻取芯部材の構成はこれに限定するものではなく、例えば、支持シャフト１１の両端部（及びその中間部）に配置した回転円板同士の間を複数の帯状金属板で連結してなる「かご形構造」でもよい。
【００８１】
（８）上記第１及び第２実施形態では、巻取芯部材（巻取シャフト１２）の一端部（ドラム１３）から連結突部（連結爪１４又は螺子Ｎ４）が突出しており、その連結突部と係合可能な連結孔（爪係合孔７１又は螺子孔７４）を中継部材７０に貫通形成していたが、巻取シャフト１２の一端部のドラム１３に本発明に係る「連結部」としての孔部が貫通形成されていた場合には、その孔部と係合可能な本発明の「被連結部」としての突部を中継部材７０から突出させた構成にしてもよい。
【符号の説明】
【００８２】
１１    支持シャフト
１２    巻取シャフト（巻取芯部材）
１４    連結爪（連結突部、連結部）
１５    シャッターカーテン
２０    シャッター用ロック装置
２４    連結スリーブ（円筒部材）
２６    ラチェットギヤ
２６Ａ    シャフト挿通孔
７０    中継部材
７０Ａ    シャフト挿通孔
７１    爪係合孔（連結孔、被連結部）
７２    突出片（スペース形成部）
７４    螺子孔（連結孔、被連結部）
Ｎ４    螺子（連結突部、連結部）
【図１】
2013167086.tif 000003
【図２】
2013167086.tif 000004
【図３】
2013167086.tif 000005
【図４】
2013167086.tif 000006
【図５】
2013167086.tif 000007
【図６】
2013167086.tif 000008
【図７】
2013167086.tif 000009
【図８】
2013167086.tif 000010
【図９】
2013167086.tif 000011
【図１０】
2013167086.tif 000012
【図１１】
2013167086.tif 000013
【図１２】
2013167086.tif 000014